(57)【要約】【課題】  マスクを長時間掛けても、痛みが発生しないマスク保持具（１００）を提供することである。【解決手段】  人体鼻部及び人体口部（ｎｍ）を覆うシート状のマスク本体（Ｍｂ）と伸縮性を有する耳かけ部（Ｅｈ）とを備えたマスク（Ｍ）を保持するためのヘッドホーン型のマスク保持具（１００）であって、  人体耳部（ｅ）付近に人体耳部（ｅ）から離れた状態で配置され、耳かけ部（Ｅｈ）を引っ掛けるための左右一対の引っ掛け部（Ｈ）と、  一対の引っ掛け部（Ｈ）を保持し、人体頭部（ｈｄ）を外側からバネ付勢した状態で押し付けるヘッドバンド部（ＨＢ）とを備えていることを特徴とするマスク保持具（１００）。【選択図】図１
2018080408.tif 000002
【特許請求の範囲】
【請求項１】
人体鼻部及び人体口部（ｎｍ）を覆うシート状のマスク本体（Ｍｂ）と伸縮性を有する耳かけ部（Ｅｈ）とを備えたマスク（Ｍ）を保持するためのヘッドホーン型のマスク保持具（１００）であって、
人体耳部（ｅ）付近に人体耳部（ｅ）から離れた状態で配置され、耳かけ部（Ｅｈ）を引っ掛けるための左右一対の引っ掛け部（Ｈ）と、
一対の引っ掛け部（Ｈ）を保持し、人体頭部（ｈｄ）を外側からバネ付勢した状態で押し付けるヘッドバンド部（ＨＢ）と、
後頭部に当接される後頭バンド部（ｂＨＢ）とを備えてなり、伸縮性を有する耳かけ部（Ｅｈ）の引張力により後頭バンド部（ｂＨＢ）に伝わる水平力を後頭バンド部（ｂＨＢ）と人体後頭部（ｈｂ）で発生する圧縮力で受け持つと共に、
ヘッドバンド部（ＨＢ）と後頭バンド部（ｂＨＢ）とは側頭部上方にて接続されていることを特徴とするマスク保持具（１００）。
【請求項２】
引っ掛け部（Ｈ）が人体耳部（ｅ）から外側方に離れた状態で配置されることを特徴とする請求項１に記載されたマスク保持具（１００）。
【請求項３】
引っ掛け部（Ｈ）が人体耳部（ｅ）の後ろ側に人体耳部（ｅ）の輪郭に沿って湾曲して配置されることを特徴とする請求項１〜２の何れかに記載されたマスク保持具（１００）。
【発明の詳細な説明】
【技術分野】
【０００１】
本発明は、マスク保持具に関する。
【背景技術】
【０００２】
従来の技術として、耳かけ部を備えたマスクが広く汎用されていた。
【０００３】
しかしながら、マスクの耳かけ部が、人体耳部に接触するために、耳が痛くなるという欠点が指摘されていた。
特に、長時間マスクを装着していた場合、耐えられない位耳が痛くなるという欠点が指摘されていた。
発明者は、従来技術の欠点等に鑑み、鋭意研究することによって本発明を完成させるに至った。
【先行技術文献】
【特許文献】
【０００４】
本願発明に係るマスク保持具について、ＦＩ、キーワード検索を行ったところ、本件発明（請求項１〜３に記載された発明）に近い発明等記載文献は、発見されませんでしたので、特許文献の記載は省略する。
【発明の概要】
【発明が解決しようとする課題】
【０００５】
○本発明が解決しようとする第１課題
本発明が解決しようとする第１課題は、
マスクを長時間掛けても、痛みが発生しないマスク保持具を提供することである。
○本発明が解決しようとする第２課題
本発明が解決しようとする第２課題は、
第１課題に加えて、マスクの耳かけ部が人体耳部に接触するのを確実に防ぐことができるマスク保持具を提供することである。
○本発明が解決しようとする第３課題
本発明が解決しようとする第３課題は、
第１課題に加えて、マスクの装着が容易になるマスク保持具を提供することである。
【課題を解決するための手段】
【０００６】
課題を解決するための手段は、本願の［特許請求の範囲］の各請求項に記載の発明である。
特許請求の範囲、明細書、図面等の用語の解釈上の疑義を解消すべく、以下用語の説明を行うこととする。
＜用語の説明＞
○マスク（Ｍ）とは、マスク本体（Ｍｂ）と伸縮性を有する一対の耳かけ部（Ｅｈ）から構成されている。
○マスク保持具（１００）とは、左右一対の引っ掛け部（Ｈ）と、ヘッドバンド部（ＨＢ）と、後頭バンド部（ｂＨＢ）とから構成されてなる。
○引っ掛け部（Ｈ）とは、耳かけ部（Ｅｈ）を引っ掛けるための左右一対部材である。例えば、引っ掛け部（Ｈ）の先端にフランジＦが取付けられてなる。
○フランジＦは、伸縮性を有する耳かけ部（Ｅｈ）が、引っ掛け部（Ｈ）から、側方に外れないように引っ掛け部（Ｈ）の先端に鍔状に張り出した部材をいう。
○人体耳部（ｅ）付近に人体耳部（ｅ）から離れた状態で配置されるとは、左右一対の引っ掛け部（Ｈ）が、人体耳部（ｅ）から離れた状態で配置されることをいう。
人体耳部（ｅ）から離れた状態には以下のような態様が有る。
（１）第１態様
第１態様は、引っ掛け部（Ｈ）が人体耳部（ｅ）から外側方に離れた状態で配置される態様である（図（Ａ）、（Ｂ））。
第２態様は、引っ掛け部（Ｈ）が人体耳部（ｅ）の後ろ側に人体耳部（ｅ）の輪郭に沿って湾曲して配置される態様である（図２（Ａ）、（Ｂ）、（Ｃ））。
課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
人体鼻部及び人体口部（ｎｍ）を覆うシート状のマスク本体（Ｍｂ）と伸縮性を有する耳かけ部（Ｅｈ）とを備えたマスク（Ｍ）を保持するためのヘッドホーン型のマスク保持具（１００）であって、
人体耳部（ｅ）付近に人体耳部（ｅ）から離れた状態で配置され、耳かけ部（Ｅｈ）を引っ掛けるための左右一対の引っ掛け部（Ｈ）と、
一対の引っ掛け部（Ｈ）を保持し、人体頭部（ｈｄ）を外側からバネ付勢した状態で押し付けるヘッドバンド部（ＨＢ）と、
後頭部に当接される後頭バンド部（ｂＨＢ）とを備えてなり、伸縮性を有する耳かけ部（Ｅｈ）の引張力により後頭バンド部（ｂＨＢ）に伝わる水平力を後頭バンド部（ｂＨＢ）と人体後頭部（ｈｂ）で発生する圧縮力で受け持つと共に、
ヘッドバンド部（ＨＢ）と後頭バンド部（ｂＨＢ）とは側頭部上方にて接続されていることを特徴とするマスク保持具（１００）である。
○第２の発明（請求項２に記載の発明）
上記の課題を解決するための第２の発明（請求項２に記載の発明）は、
引っ掛け部（Ｈ）が人体耳部（ｅ）から外側方に離れた状態で配置されることを特徴とする請求項１に記載されたマスク保持具（１００）である。
○第３の発明（請求項３に記載の発明）
上記の課題を解決するための第３の発明（請求項３に記載の発明）は、
引っ掛け部（Ｈ）が人体耳部（ｅ）の後ろ側に人体耳部（ｅ）の輪郭に沿って湾曲して配置されることを特徴とする請求項１〜２の何れかに記載されたマスク保持具（１００）である。
【発明の効果】
【０００７】
本発明に係る、マスク保持具（１００）は、上記のような特徴的構成要件から構成され、特徴的構成要件に応じた、以下のような本願発明特有の効果を奏する。
また、上記の各発明に応じた、上記のような特徴的構成要件から構成されたマスク保持具（１００）によれば、本願発明の課題を十分解消することができた。
○第１の発明の効果
第１の発明によれば、
人体鼻部及び人体口部（ｎｍ）を覆うシート状のマスク本体（Ｍｂ）と伸縮性を有する耳かけ部（Ｅｈ）とを備えたマスク（Ｍ）を保持するためのヘッドホーン型のマスク保持具（１００）であって、
人体耳部（ｅ）付近に人体耳部（ｅ）から離れた状態で配置され、耳かけ部（Ｅｈ）を引っ掛けるための左右一対の引っ掛け部（Ｈ）と、
一対の引っ掛け部（Ｈ）を保持し、人体頭部（ｈｄ）を外側からバネ付勢した状態で押し付けるヘッドバンド部（ＨＢ）と、
後頭部に当接される後頭バンド部（ｂＨＢ）とを備えてなり、伸縮性を有する耳かけ部（Ｅｈ）の引張力により後頭バンド部（ｂＨＢ）に伝わる水平力を後頭バンド部（ｂＨＢ）と人体後頭部（ｈｂ）で発生する圧縮力で受け持つと共に、
ヘッドバンド部（ＨＢ）と後頭バンド部（ｂＨＢ）とは側頭部上方にて接続されていることという特徴的な構成要件により、本発明が解決しようとする第１課題〜第３課題を達成することができ、当業者予測不可能な顕著な効果を奏することができた。
○第２の発明の効果
第２の発明によれば、
引っ掛け部（Ｈ）が人体耳部（ｅ）から外側方に離れた状態で配置されることという特徴的な構成要件により、本発明が解決しようとする第１課題〜第３課題を達成することができ、当業者予測不可能な顕著な効果を奏することができた。
○第３の発明の効果
第３の発明によれば、
引っ掛け部（Ｈ）が人体耳部（ｅ）の後ろ側に人体耳部（ｅ）の輪郭に沿って湾曲して配置されることという特徴的な構成要件により、本発明が解決しようとする第１課題〜第３課題を達成することができ、当業者予測不可能な顕著な効果を奏することができた。
【発明を実施するための最良の形態】
【０００８】
以下、本発明に係る、マスク保持具（１００）に関する最良の実施形態について、図面を参照しながら説明する。
［図１］図１は、本発明に係るヘッドホーン型のマスク保持具（１００）に関する図面を表す。図１（Ａ）は、ヘッドホーン型のマスク保持具（１００）を使用してマスク（Ｍ）を装着した状態図を表す。図１（Ｂ）は、本発明に係るヘッドホーン型のマスク保持具（１００）とマスク（Ｍ）の斜視図を表す。
［図２］図２は、本発明に係るヘッドホーン型のマスク保持具（１００）の第２実施態様を表す図面である。図２（Ａ）は、本発明に係るヘッドホーン型のマスク保持具（１００）の第２実施態様を表す左側面図である。図２（Ｂ）は、本発明に係るヘッドホーン型のマスク保持具（１００）の第２実施態様を表す背面図である。図２（Ｃ）は、本発明に係るヘッドホーン型のマスク保持具（１００）の第２実施態様を表すＡ−Ａ矢視断面図である。
以下、本発明に係る、マスク保持具（１００）について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマスク保持具（１００）において、
人体鼻部及び人体口部（ｎｍ）を覆うシート状のマスク本体（Ｍｂ）と伸縮性を有する耳かけ部（Ｅｈ）とを備えたマスク（Ｍ）を保持するためのヘッドホーン型のマスク保持具（１００）であって、
人体耳部（ｅ）付近に人体耳部（ｅ）から離れた状態で配置され、耳かけ部（Ｅｈ）を引っ掛けるための左右一対の引っ掛け部（Ｈ）と、
一対の引っ掛け部（Ｈ）を保持し、人体頭部（ｈｄ）を外側からバネ付勢した状態で押し付けるヘッドバンド部（ＨＢ）と、
後頭部に当接される後頭バンド部（ｂＨＢ）とを備えてなり、伸縮性を有する耳かけ部（Ｅｈ）の引張力により後頭バンド部（ｂＨＢ）に伝わる水平力を後頭バンド部（ｂＨＢ）と人体後頭部（ｈｂ）で発生する圧縮力で受け持つと共に、
ヘッドバンド部（ＨＢ）と後頭バンド部（ｂＨＢ）とは側頭部上方にて接続されていることを特徴とするマスク保持具（１００）が開示されている。
○第１の発明の効果
第１の発明によれば、
人体鼻部及び人体口部（ｎｍ）を覆うシート状のマスク本体（Ｍｂ）と伸縮性を有する耳かけ部（Ｅｈ）とを備えたマスク（Ｍ）を保持するためのヘッドホーン型のマスク保持具（１００）であって、
人体耳部（ｅ）付近に人体耳部（ｅ）から離れた状態で配置され、耳かけ部（Ｅｈ）を引っ掛けるための左右一対の引っ掛け部（Ｈ）と、
一対の引っ掛け部（Ｈ）を保持し、人体頭部（ｈｄ）を外側からバネ付勢した状態で押し付けるヘッドバンド部（ＨＢ）と、
後頭部に当接される後頭バンド部（ｂＨＢ）とを備えてなり、伸縮性を有する耳かけ部（Ｅｈ）の引張力により後頭バンド部（ｂＨＢ）に伝わる水平力を後頭バンド部（ｂＨＢ）と人体後頭部（ｈｂ）で発生する圧縮力で受け持つと共に、
ヘッドバンド部（ＨＢ）と後頭バンド部（ｂＨＢ）とは側頭部上方にて接続されていることという特徴的な構成要件により、本発明が解決しようとする第１課題〜第３課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマスク保持具（１００）において、
引っ掛け部（Ｈ）が人体耳部（ｅ）から外側方に離れた状態で配置されることを特徴とする請求項１に記載されたマスク保持具（１００）が開示されている。
○第２の発明の効果
第２の発明によれば、
引っ掛け部（Ｈ）が人体耳部（ｅ）から外側方に離れた状態で配置されることという特徴的な構成要件により、本発明が解決しようとする第１課題〜第３課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマスク保持具（１００）において、
引っ掛け部（Ｈ）が人体耳部（ｅ）の後ろ側に人体耳部（ｅ）の輪郭に沿って湾曲して配置されることを特徴とする請求項１〜２の何れかに記載されたマスク保持具（１００）が開示されている。
○第３の発明の効果
第３の発明によれば、
引っ掛け部（Ｈ）が人体耳部（ｅ）の後ろ側に人体耳部（ｅ）の輪郭に沿って湾曲して配置されることという特徴的な構成要件により、本発明が解決しようとする第１課題〜第３課題を達成することができ、当業者予測不可能な顕著な効果を奏することができた。
【図面の簡単な説明】
【０００９】
【図１】図１は、本発明に係るヘッドホーン型のマスク保持具（１００）に関する図面を表す。図１（Ａ）は、ヘッドホーン型のマスク保持具（１００）を使用してマスク（Ｍ）を装着した状態図を表す。図１（Ｂ）は、本発明に係るヘッドホーン型のマスク保持具（１００）とマスク（Ｍ）の斜視図を表す。
【図２】図２は、本発明に係るヘッドホーン型のマスク保持具（１００）の第２実施態様を表す図面である。図２（Ａ）は、本発明に係るヘッドホーン型のマスク保持具（１００）の第２実施態様を表す左側面図である。図２（Ｂ）は、本発明に係るヘッドホーン型のマスク保持具（１００）の第２実施態様を表す背面図である。図２（Ｃ）は、本発明に係るヘッドホーン型のマスク保持具（１００）の第２実施態様を表すＡ−Ａ矢視断面図である。
【符号の説明】
【００１０】
Ｍｂ……マスク本体
Ｅｈ……耳かけ部
Ｍ……マスク
１００……ヘッドホーン型のマスク保持具
ｅ……人体耳部
Ｅｈ……耳かけ部
Ｈ……引っ掛け部
ｂＨＢ……ヘッドバンド部
Ｆ……フランジ
【図１】
2018080408.tif 000003
【図２】
2018080408.tif 000004